(57)【要約】【課題】化粧品等を収納して販売に供するための、ロックが確実で、かつ非常に容易に蓋を開封することができる包装箱を提供する。【解決手段】前板、一対の側板、後板、底板、及び蓋板からなる箱体であって、該前板に該蓋板及び差込片を順次連設すると共に、該蓋板と該差込片が連設する辺の両端にロック用切込みを設け、かつ該一対の側板の上辺に折曲片を連設すると共に、該折曲片の基端部であって後板に接する部分の近傍に、側板の上辺に略平行に切込みを設けた包装箱である。【選択図】図４
2008013241.tif 000002
【特許請求の範囲】
【請求項１】
前板、一対の側板、後板、底板、及び蓋板からなる箱体であって、該前板に該蓋板及び差込片を順次連設すると共に、該蓋板と該差込片が連設する辺の両端にロック用切込みを設け、かつ該一対の側板の上辺に折曲片を連設すると共に、該折曲片の基端部であって後板に接する部分の近傍に、側板の上辺に略平行に切込みを設けた包装箱。
【請求項２】
蓋板の両側辺に指掛け片を突設した請求項１に記載の包装箱。
【請求項３】
後板の上辺に吊下げ穴を穿設した吊下げ片を延設した請求項１又は２に記載の包装箱。
【請求項４】
合成樹脂シートからなる請求項１〜３のいずれかに記載の包装箱。
【発明の詳細な説明】
【技術分野】
【０００１】
本発明は包装箱に関し、詳しくは、化粧品等を収納して販売に供するための、ロックが確実で、かつ開封が非常に容易な包装箱に関する。
【背景技術】
【０００２】
化粧品、化粧下地剤、医薬品等の販売においては、合成樹脂シートや板紙からなる包装箱が多く利用されている。
図１は、従来の吊下げ式の包装箱の一例を示す斜視図である。図１に示すように、従来の吊下げ式包装箱は、前板１、一対の側板２、２’、後板３及び底板４を備え、前板１の上辺に蓋板５及び差込片６を順次連設し、側板２、２’の上辺に折曲片７、７’を設け、折曲片７、７’を内側へ折り曲げ、蓋板５を閉じ、蓋板５に連設した差込片６を後板３と折曲片７、７’の隙間に差し込んで封止し、後板３の上辺に延設した吊下げ片８に穿設した吊下げ穴９を利用して、店頭で吊り下げ状態で使用されている。
【０００３】
上記の従来の吊下げ式包装箱は、蓋板が吊下片に接しているために、蓋板と吊下片の間に指を差し込みにくく、開閉しずらいという問題があった。そこで、開封が容易な吊下式の包装箱として、蓋板に連設する差込片に摘み片を設けた包装箱（例えば、特許文献１参照）が提案されている。しかしながら、特許文献１の包装箱は、摘み片が吊下片に重なるように接しているため取扱いにくく、またその構造上、開封するのにかなりの力を要するという問題があった。
また、吊下げ式ではない通常の箱型の包装箱においても、閉蓋時のロックが確実で、かつ開封が容易な包装箱が求められている。
【０００４】
【特許文献１】特開２００１−２７８２４９号公報
【発明の開示】
【発明が解決しようとする課題】
【０００５】
本発明は、化粧品等を収納して販売に供するための、ロックが確実で、かつ開封が非常に容易な包装箱を提供することを課題とする。
【課題を解決するための手段】
【０００６】
本発明は、前板、一対の側板、後板、底板、及び蓋板からなる箱体であって、該前板に該蓋板及び差込片を順次連設すると共に、該蓋板と該差込片が連設する辺の両端にロック用切込みを設け、かつ該一対の側板の上辺に折曲片を連設すると共に、該折曲片の基端部であって後板に接する部分の近傍に、側板の上辺に略平行に切込みを設けた包装箱、を提供する。
【発明の効果】
【０００７】
本発明によれば、化粧品等を収納して販売に供するための、ロックが確実で、かつ開封が非常に容易な包装箱を提供することができる。
【発明を実施するための最良の形態】
【０００８】
本発明の包装箱は、前板、一対の側板、後板、底板、及び蓋板からなる箱体であって、該前板に該蓋板及び差込片を順次連設すると共に、該蓋板と該差込片が連設する辺の両端にロック用切込みを設け、かつ該一対の側板の上辺に折曲片を連設すると共に、該折曲片の基端部であって後板に接する部分の近傍に、側板の上辺に略平行に切込みを設けるように構成されている。
【０００９】
まず図面を参照して、本発明の包装箱について説明する。図２は、本発明の包装箱を構成するブランクの一例を示す展開図である。
図２において、ブランク１０は、合成樹脂シート等を打ち抜いて形成したものであり、矩形状の前板１１の右辺及び左辺には、それぞれ矩形状の左側板１２と右側板１２’が折り線ａ、ｂを介して連接され、前板１１の上辺には、蓋板１５とそれに連設した差込片１６が折り線ｃを介して連接されている。
左側板１２と右側板１２’には、それらの上辺にそれぞれ外方向に広がる略台形状の折曲片１７、１７’が折り線ｄ、ｅを介して連接されている。また、左側板１２と右側板１２’の下辺には、それぞれ外方向に広がる略台形状の折曲片が折り線ｆ、ｇを介して連接されている。
【００１０】
左側板１２には、後板１３が折り線ｈを介して連接されている。後板１３の下辺には、底板１４とそれに連設した差込片が折り線ｉを介して連接され、後板１３の右辺には、接合片２１が折り線ｊを介して連接されている。また、図２に示すように、後板１３の上辺に、吊下げ穴１９を穿設した吊下げ板１８を罫線ｋを介して連接（延設）すれば、店頭で吊り下げ状態で使用することができる。
なお、接合片２１の形成位置は限定されない。例えば、接合片２１を後板１３の側部ではなく、右側板１２’の側部に形成して、筒状の胴部を形成するようにすることもできるし、各板の連接順序を変えて、例えば、前板１１の側部又は左側板１２の側部に形成するように構成することもできる。
【００１１】
蓋板１５と差込片１６が連設する辺の両端にはロック用切込み２２、２２’が設けられている。そして、折曲片１７、１７’の基端部（折曲片１７、１７’と左側板１２、右側板１２’がそれぞれ連設する辺）であって、後板１３に接する部分の近傍に、左側板１２、右側板１２’の上辺に略平行に切込み２３、２３’が設けられている。
また、蓋板１５の両側辺には指掛け片２４、２４’を突設することが好ましい。こうすることにより、差込片１６と後板１３の間に指を差し込まなくても指掛け片２４、２４’を上に引き上げることで容易に蓋を開封することができる。
指掛け片２４、２４’の突設位置は、蓋板１５の両側辺であれば特に制限はないが、開蓋を容易ならしめる観点から、差込片１６の連接辺近傍に設けることが好ましい。
【００１２】
ブランク１０の材質は特に限定されず、合成樹脂シート、板紙、合成紙、合成樹脂シートと板紙、合成紙等からなる積層材等を用いることができ、これらの板材を裁断してブランク１０が形成される。これらの板材の中でも、透明な合成樹脂シートを用いてブランク１０を形成すれば、その商品の優れた外観、模様、色彩等が陳列時に視認できるため、化粧品、化粧下地剤等の販売には特に好適である。合成樹脂シートの素材は特に限定されないが、ポリプロピレン（ＰＰ）、ポリエチレンテレフタレート（ＰＥＴ）、ポリ塩化ビニル（ＰＶＣ）等が好ましい。
【００１３】
ブランク１０の厚さはその材質等により異なるが、取り扱い易さと強度を考慮して適宜決定することができる。例えば、合成樹脂シートの場合は、好ましくは０．１〜０．５ｍｍ、より好ましくは０．２〜０．４ｍｍであり、板紙の場合は、好ましくは０．３〜１ｍｍである。
ブランク１０を折り曲げて包装箱を形成する際の折り線ａ〜ｋは、折り曲げ易さと強度の観点から、好ましくはブランク１０の厚さの４０〜８０％の深さ、好ましくは５０〜７０％の深さの切込み溝を入れるか、又は紙板の場合はエンボス加工により形成することが望ましい。
【００１４】
図２のブランク１０を組み立てるには、ブランク１０を各折り線ａ、ｂ、ｈ、及びｊで内側にほぼ直角に折り曲げて筒状の胴部を形成し、残余の各折り線で内側にほぼ直角に折り曲げて折曲片１７、１７’、底部、蓋部、差込片１６を形成する。そして、後板１３に連設された接合片２１を右側板１２’に重ねるようにして、その一部又は全部を、接着剤、接着テープ、熱融着等による公知の接合手段により接合する。
【００１５】
図３は、本発明の包装箱２０の開蓋状態を示す上部斜視図であり、図４は、本発明の包装箱２０の開蓋又は閉蓋直前の状態を示す上部斜視図である。
図３及び図４に示すように、ブランク１０が組み立てられた本発明の包装箱２０は、蓋板１５とそれに連設した差込片１６が、前板１１の上辺に連接され、前板１１の上辺を支軸として後板１３の上辺に向かって回動し、開閉するようになっている。
【００１６】
蓋板１５と差込片１６が連設する辺の両端にはロック用切込み２２、２２’が設けられている。そして、折曲片１７、１７’の基端部（折曲片１７、１７’と左側板１２、右側板１２’がそれぞれ連設する辺）であって、後板１３に接する部分の近傍に切込み２３、２３’が設けられている。切込み２３、２３’は、左側板１２の上辺、右側板１２’の上辺と略平行に設けられる。
ロック用切込み２２、２２’の長さは、蓋板１５と差込片１６との連設辺の長さの１０〜３０％とすることが好ましく、切込み２３、２３’の長さは、左側板１２の上辺、右側板１２’の上辺のそれぞれの長さの１０〜２０％とすることが好ましい。
【００１７】
図３及び図４に示すように、蓋板１５の両側辺には指掛け片２４、２４’を突設することが好ましい。指掛け片２４、２４’の形態は、指を掛けて開閉動作を補助しうる形状、大きさであればよく、特に限定されない。例えば、矩形状、半円状、台形状等に形成することができ、その大きさは包装箱の大きさ、材質、収納時の便宜等を考慮して適宜決定することができる。
指掛け片２４、２４’の突設位置は、蓋板１５の両側辺であれば特に制限はないが、開蓋を容易ならしめる観点から、蓋板１５と差込片１６との連接辺の近傍に設けることが好ましい。また、指掛け片の数は２つが好ましいが、これに限定されない。
このように指掛け片を設ければ、開蓋時に、指を指掛け片２４、２４’に当接して開蓋したり、指で指掛け片２４、２４’を摘んだりして開蓋できるため、開蓋動作を極めて容易に行うことができる。
【００１８】
本発明の包装箱は、上記のように構成されているため、蓋板１５に連設された差込片１６を、後板１３の上辺と折曲片１７、１７’の隙間に差し込む際に、ロック用切込み２２、２２’と係合用切込み２３、２３’によって、差込片１６の両端部と折曲片１７、１７’の両端部が弾性的に変形し、差込片１６の両端部が折曲片１７、１７’の下側に入り込んで確実にロックを行う。
また、指掛け片２４、２４'を指で摘んで上に引き上げる際、折曲片１７、１７’の基端部に設けた切込み２３、２３'の効果によって、折曲線１７、１７'の基端部は弾性的に変形し、差込片１６の連接辺とのロックを容易に外し、蓋を非常に容易に開封することができる。
【図面の簡単な説明】
【００１９】
【図１】従来の吊下げ式包装箱の一例を示す斜視図である。
【図２】本発明の包装箱を構成するブランクの一例を示す展開図である。
【図３】本発明の包装箱の開蓋状態を示す斜視図である。
【図４】本発明の包装箱の開蓋又は閉蓋直前の状態を示す斜視図である。
【符号の説明】
【００２０】
１、１１：前板
２、２’、１２、１２’：側板
３、１３：後板
４、１４：底板
５、１５：蓋板
６、１６：差込片
７、７’、１７、１７’：折曲片
８、１８：吊下げ片
９、１９：吊下げ穴
１０：ブランク
２０：本発明の包装箱
２１：接合片
２２、２２’：ロック用切込み
２３、２３’：切込み
２４、２４’：指掛け片
ａ〜ｊ：折り線
【産業上の利用可能性】
【００２１】
本発明の包装箱は、ロックが確実で、かつ蓋の開封が非常に容易であり、各種の包装箱として有用である。特に、透明な合成樹脂シートを用いて形成すれば、その商品の優れた外観、模様、色彩等が陳列時に視認できるため、化粧品、化粧下地剤等の吊下げ式包装箱として好適に利用することができる。
【図１】
2008013241.tif 000003
【図２】
2008013241.tif 000004
【図３】
2008013241.tif 000005
【図４】
2008013241.tif 000006